(57)【要約】      （修正有）【課題】媒体記録中に蓋体の解放をロックする機構を実現する。【解決手段】記録可能なディスクが着脱自在に装着されるディスク装着部（不図示）と、ディスクに情報信号の記録を行う光学ピックアップ装置（不図示）を有する撮像装置本体（不図示）と、その本体に回動自在に取り付けられたディスク蓋体（不図示）と、その蓋体の解放操作を行うイジェクト準備釦（不図示）及びスライドツマミ２２と、蓋体を本体に対して閉じた位置に保持するスライドロック機構２１８とを備え、該イジェクト準備釦が操作されたときに、該光学ピックアップ装置によるディスクへの情報信号の記録が終了するまでの期間、スライドロック機構２１８による蓋体の保持を継続させてスライドツマミ２２の操作に基づくスライドロック機構２１８による蓋体の保持が解除されることを阻止するカンヌキ機構２１９を設けた。【選択図】図１７
2006147056.tif 000002
【特許請求の範囲】
【請求項１】
情報信号が記録される第１の記録領域と当該第１の記録領域に記録された情報信号の目録情報が記録される第２の記録領域とを有する記録可能なディスク状記録媒体が着脱自在に装着されるディスク装着部と、当該ディスク装着部に装着されたディスク状記録媒体に情報信号の記録を行う記録手段と、を有する本体と、
前記本体に回動自在に取り付けられ前記ディスク装着部を開閉自在とされた蓋体と、
前記蓋体の開放操作を行う第１の操作手段及び第２の操作手段と、
前記蓋体を前記本体に対して閉じた位置に保持すると共に、前記第１の操作手段の操作の後、第２の操作手段が操作されることにより当該蓋体の保持を解除するロック手段と、
前記第１の操作手段が操作されたときに、前記記録手段による前記ディスク状記録媒体の第１の記録領域への情報信号の記録が行われているときには当該第１の記録領域への情報信号の記録を終了した後、当該第１の記録領域に記録された情報信号に対する目録情報を前記記録手段により第２の記録領域に記録するまでの期間、又は前記記録手段による前記ディスク状記録媒体の第２の記録領域への目録情報の記録が行われているときには当該第２の記録領域への情報信号の記録が終了するまでの期間、前記ロック手段による前記蓋体の保持を継続させて前記第２の操作手段の操作に基づく当該ロック手段による蓋体の保持が解除されることを阻止する解除制御手段と、を備えてなり、
前記ロック手段には、前記蓋体に設けたロック爪に係合可能とされたストッパを有する第１のスライダと、前記第２の操作手段と一体に移動可能とされた第２のスライダとを設け、
前記解除制御手段には、前記第１の操作手段の操作により駆動される駆動手段によって進退動作され、前記蓋体の保持が解除されることを阻止する期間が経過した後、前記第１のスライダと前記第２のスライダとの間に介在されて当該第１のスライダと第２のスライダとを動力伝達可能に連結するカンヌキ部材を設けた、
ことを特徴とするディスク記録装置。
【請求項２】
前記解除制御手段は、前記カンヌキ部材を支持するカンヌキスライダと、当該カンヌキスライダを前記第１のスライダ及び第２のスライダに対して接近及び離反可能に支持するカンヌキベース部材と、を有し、
前記カンヌキベース部材に前記駆動手段を固定すると共に、当該駆動手段の回転軸に固定されたギアに噛合されるラックを前記カンヌキスライダに設けて当該カンヌキスライダを進退移動可能に形成すると共に、前記カンヌキ部材の先端に設けたカンヌキ爪を前記第２のスライダのカンヌキ穴に対して挿脱自在に構成したことを特徴とする請求項１記載のディスク記録装置。
【請求項３】
前記カンヌキ部材は、前記カンヌキスライダに対して回動可能及び摺動可能に支持したことを特徴とする請求項２記載のディスク記録装置。
【請求項４】
前記カンヌキベース部材には、前記カンヌキスライダの位置を検出する位置検出センサを設けたことを特徴とする請求項２記載のディスク記録装置。
【請求項５】
前記ロック手段の前記第１のスライダ及び第２のスライダを摺動可能に支持するスライドベース部材を設けると共に、前記解除制御手段の前記カンヌキスライダを摺動可能に支持するカンヌキベース部材を設け、
前記スライドベース部材及び前記カンヌキベース部材を、互いの摺動面が略９０度に交差するように配置したことを特徴とする請求項１記載のディスク記録装置。
【発明の詳細な説明】
【技術分野】
【０００１】
本発明は、光ディスクや光磁気ディスク等のディスク状記録媒体を情報記録媒体として用いて情報信号の記録を行うディスク記録装置に関し、特に、確実に書き込み処理を完了した状態においてディスク状記録媒体を取り出し可能としたディスク記録装置に関するものである。
【背景技術】
【０００２】
一般に、情報信号の記録が可能な情報記録媒体として垂直磁化が可能な信号記録層を有する光磁気ディスクのようなディスク状記録媒体が提供されている。この光磁気ディスクに対する情報信号の記録は、信号記録層の情報信号が記録される領域に、対物レンズ等の集光手段により光ビームを集光して照射し、信号記録層の光ビームが照射された領域をキュリー温度以上に加熱すると共に、その領域に記録する情報信号に応じて変調された外部磁界を印加することによって行われる。
【０００３】
このような光磁気ディスクに対して情報信号の記録を行う光磁気ディスク記録装置は、光磁気ディスクを保持して回転駆動するディスク回転操作機構と、光磁気ディスクの信号記録層に光ビームを照射する光学ピックアップ装置と、光磁気ディスクの信号記録層に外部磁界を印加する磁界発生装置とを備えている。
【０００４】
従来の、この種のディスク記録装置としては、例えば、特許文献１に記載されているようなものがある。特許文献１には、この特許出願人が先に特許出願したもので、光ディスクを記録媒体に用いて情報信号の記録を行う光ディスクの記録装置に関するものが記載されている。
【０００５】
この特許文献１に記載された光ディスクの記録装置は、「情報信号が記録される第１の記録領域と当該第１の記録領域に記録された情報信号の目録情報が記録される第２の記録領域を有する記録可能な光ディスクが装着され、装着された光ディスクに情報信号の記録を行う記録手段を有する本体と、上記本体に回動自在に設けられた蓋体と、上記蓋体の解放操作を行う解放操作ボタンと、上記蓋体を上記本体に対して閉じた位置に保持するとともに上記解放操作ボタンが操作されることによって上記蓋体の保持が解除されるロック手段と、記録開始操作ボタンが操作されることによって上記ロック手段による上記蓋体の保持が解除されることを阻止するように操作され、上記記録手段による記録動作中、上記ロック手段による上記蓋体の保持が解除されることを阻止する阻止手段と、上記記録手段による上記装着された光ディスクへの記録動作を開始させるとともに、操作されることによって上記阻止手段を操作して上記ロック手段による上記蓋体のロック解除を阻止させる記録操作ボタンと、上記記録手段による上記装着された光ディスクへの記録動作を停止させる停止操作ボタンと、上記記録開始操作ボタン及び上記停止操作ボタンによる操作に基づいて上記記録手段による上記装着された光ディスクへの記録動作を制御し、上記記録手段による記録動作中及び上記停止操作ボタンが操作されることによって上記記録手段による上記装着された光ディスクの第１の記録領域への情報信号の記録を終了させた後、上記記録手段による上記第１の記録領域に記録された情報信号に対する目録情報を上記第２の記録領域に記録する記録操作が終了するまでの期間、上記ロック手段による上記蓋体の保持が解除されることを阻止させ、上記目録情報の上記第２の記録領域への記録終了後に上記阻止手段による上記ロック手段の阻止状態を解除する制御手段を備えてなる」ことを特徴としている。
【０００６】
このような構成を有する光ディスクの記録装置によれば、「第１の記録領域に記録された情報信号を管理する目録情報が記録されることなく光ディスクの取り出しが行われるようなことを確実に防止することができ、第１の記録領域に記録され情報信号の読み出しを不能とすることなく正確に記録することができる」等の効果が得られる。
【０００７】
ところで、光ディスクに記録された情報信号の再生は、光ディスクに記録された情報信号の記録位置を示すアドレス情報や情報単位の識別情報等の目録情報であるＴＯＣ(Table Of Contents)に基づいて行われる。そのため、光ディスクに所望のオーディオ情報や映像情報、その他の情報を第１の記録領域としての情報信号記録領域に記録した後、それらの情報に対応する目録情報を第２の記録領域としてのＴＯＣ記録領域に記録する必要がある。
【０００８】
このような光ディスク記録装置において、所望の情報信号の記録動作中に、装置本体内のディスク装着部に装着された光ディスクのイジェクト操作が行われることによって蓋体の開放操作が行われると、情報信号の記録動作が中断されてしまい、目録情報の記録も行われないことになる。その結果、それまでに記録された情報の記録位置が不明になり、その情報信号の再生ができなくなってしまう。
【０００９】
しかしながら、前述した特許文献1のディスク記録装置では、ＴＯＣ記録領域への記録が終了するまで蓋体の解放を阻止して光磁気ディスクのイジェクト操作を阻止するイジェクト阻止機構が設けられていたが、そのイジェクト阻止機構は３つのイジェクト阻止レバーを有しており、記録モードが解除されて光ディスクに対する情報信号の記録とその後の目録情報の記録とが終了するまでの間は３つのイジェクト阻止レバーでカンヌキを掛けるようにして記録モード中の状態を保持し、その状態でイジェクト釦を押圧してもロックレバーが回動されないようにして蓋体が開蓋されるのを阻止する構成となっていた。
【００１０】
３つのイジェクト阻止レバーは、人が操作することによって動作されるものであるため、そのレバー機構全体及び個々のレバーに関して、人の操作力に負けない強さ（強度）が必要とされており、個々のレバーに十分な強度を持たせる必要があるばかりでなく、それらを組み合わせたレバー機構全体についても十分に大きな強度を付与する必要があることから、装置全体が大型化され、重量も増加されるという問題点があった。更に、イジェクトつまみとスライドロック機構とカンヌキ機構とが直結している必要があるため、イジェクトつまみの取り付け位置に関して設計上、デザイン上の自由度が少ないという課題もあった。
【特許文献１】特開２０００−２２２８１２号公報
【発明の開示】
【発明が解決しようとする課題】
【００１１】
解決しようとする問題点は、従来のディスク記録装置では、人の操作力に負けないように個々のレバーの強度やレバー機構全体の強度を大きく設定していたため、装置全体が大型化され、重量も増加されているという点である。
【課題を解決するための手段】
【００１２】
本出願のディスク記録装置は、情報信号が記録される第１の記録領域とその第１の記録領域に記録された情報信号の目録情報が記録される第２の記録領域とを有する記録可能なディスク状記録媒体が着脱自在に装着されるディスク装着部と、そのディスク装着部に装着されたディスク状記録媒体に情報信号の記録を行う記録手段と、を有する本体と、その本体に回動自在に取り付けられディスク装着部を開閉自在とされた蓋体と、その蓋体の解放操作を行う第１の操作手段及び第２の操作手段と、蓋体を本体に対して閉じた位置に保持すると共に、第１の操作手段の操作の後、第２の操作手段が操作されることにより蓋体の保持を解除するロック手段と、第１の操作手段が操作されたときに、記録手段によるディスク状記録媒体の第１の記録領域への情報信号の記録が行われているときには第１の記録領域への情報信号の記録を終了した後、その第１の記録領域に記録された情報信号に対する目録情報を記録手段により第２の記録領域に記録するまでの期間、又は記録手段によるディスク状記録媒体の第２の記録領域への目録情報の記録が行われているときには第２の記録領域への情報信号の記録が終了するまでの期間、ロック手段による蓋体の保持を継続させて第２の操作手段の操作に基づくロック手段による蓋体の保持が解除されることを阻止する解除制御手段と、を備えてなり、ロック手段には、蓋体に設けたロック爪に係合可能とされたストッパを有する第１のスライダと、第２の操作手段と一体に移動可能とされた第２のスライダとを設け、解除制御手段には、第１の操作手段の操作により駆動される駆動手段によって進退動作され、蓋体の保持が解除されることを阻止する期間が経過した後、第１のスライダと第２のスライダとの間に介在されて第１のスライダと第２のスライダとを動力伝達可能に連結するカンヌキ部材を設けた、ことを最も主要な特徴とする。
【００１３】
本出願のディスク記録装置は、解除制御手段は、カンヌキ部材を支持するカンヌキスライダと、そのカンヌキスライダを第１のスライダ及び第２のスライダに対して接近及び離反可能に支持するカンヌキベース部材と、を有し、カンヌキベース部材に駆動手段を固定すると共に、その駆動手段の回転軸に固定されたギアに噛合されるラックをカンヌキスライダに設けてカンヌキスライダを進退移動可能に形成すると共に、カンヌキ部材の先端に設けたカンヌキ爪を第２のスライダのカンヌキ穴に対して挿脱自在に構成したことを特徴とする。
【００１４】
本出願のディスク記録装置は、カンヌキ部材は、カンヌキスライダに対して回動可能及び摺動可能に支持したことを特徴とする。
【００１５】
本出願のディスク記録装置は、カンヌキベース部材には、カンヌキスライダの位置を検出する位置検出センサを設けたことを特徴とする。
【００１６】
また、本出願のディスク記録装置は、ロック手段の第１のスライダ及び第２のスライダを摺動可能に支持するスライドベース部材を設けると共に、解除制御手段のカンヌキスライダを摺動可能に支持するカンヌキベース部材を設け、スライドベース部材及びカンヌキベース部材を、互いの摺動面が略９０度に交差するように配置したことを特徴とする。
【発明の効果】
【００１７】
本出願のディスク記録装置によれば、記録手段によるディスク状記録媒体の第１の記録領域への情報信号の記録が行われているとき又は記録手段によるディスク状記録媒体の第２の記録領域への目録情報の記録が行われているときに第１の操作手段が操作された場合には、蓋体のロック爪に係合されているストッパを有する第１のスライダと第２の操作手段と一体に動作される第２のスライダとの間から解除制御手段のカンヌキ部材が離れるために、第１のスライダと第２のスライダとの間に動力伝達が不能となる。その結果、第２の操作手段を操作することによってもイジェクト操作を行うことができず、蓋体の開放動作が防止される。
【００１８】
一方、解除制御手段による蓋体の保持が解除されることを阻止する期間が経過した後、即ち、記録手段によるディスク状記録媒体の第１の記録領域への情報信号の記録を終了した後、更に第１の記録領域に記録された情報信号に対する目録情報を記録手段によって第２の記録領域に記録した後に、第２の操作手段が操作された場合には、蓋体のロック爪に係合されているストッパを有する第１のスライダと第２の操作手段と一体に動作される第２のスライダとの間に解除制御手段のカンヌキ部材が駆動手段の駆動によって入り込み、第１のスライダと第２のスライダとの間が動力伝達可能に連結される。
【００１９】
これにより、第２の操作手段に加えられた操作力が第１のスライダからカンヌキ部材を介して第２のスライダに伝達され、ストッパがロック爪から離れて蓋体のロックが解除される。その結果、蓋体の開蓋動作が可能になると共に、所望の情報信号は既に所定の記録領域に記録されているため、確実に書き込み処理を完了した状態において蓋体を開けてディスク状記録媒体を取り出すことができる。
【００２０】
本出願のディスク記録装置によれば、解除制御手段のカンヌキベース部材にカンヌキスライダを支持し、そのカンヌキスライダにカンヌキ部材を支持すると共に、カンヌキベース部材に固定された駆動手段に設けたギアをカンヌキスライダのラックに噛合させる構成としたため、駆動手段の駆動によりカンヌキ部材を進退動作させて第１のスライダと第２のスライダとの間の動力伝達系を断続（接続と遮断）させることができる。これにより、解除制御手段を比較的簡単な構造によって実現できると共に、駆動手段の消費電力を小さくして省電力化を図ることができる。
【００２１】
本出願のディスク記録装置によれば、カンヌキ部材がカンヌキスライダに対して回動自在及び摺動自在に支持されているため、第２の操作手段のスライド操作による第２のスライダのスライド動作を、カンヌキ部材の回動動作を介して第１のスライダに伝達し、その第１のスライダをスライド動作させる機構を簡単な構造によって実現することができる。
【００２２】
本出願のディスク記録装置によれば、位置検出センサでカンヌキスライダの位置を検出し、その位置検出センサのメーク接点の閉路時（又はブレーク接点の開路時）のタイミングと駆動手段の駆動時間の関係を適宜に設定することにより、カンヌキスライダのストローク量を自在に設定できると共にそのストローク量の調整を自由に行うことができる。更に、カンヌキ爪とカンヌキ穴との係合量（掛り量）の大小も自在に調整することができる。
【００２３】
また、本出願のディスク記録装置によれば、互いの摺動面が略９０度に交差するようにスライドベース部材とカンヌキベース部材を配置することにより、スライドベース部材を有するスライドロック機構とカンヌキベース部材を有するカンヌキ機構とを機能的に完全に独立させて構成することができ、スライドロック機構とカンヌキ機構の配置の自由度を高めて、様々なデザイン仕様やセット仕様等に対応することができる。
【発明を実施するための最良の形態】
【００２４】
消費電力が少なくて出力が小さい駆動手段によっても動作させることができ、確実に書き込み処理が完了した状態で蓋体を開いてディスク状記録媒体の取り出しが可能なディスク記録装置を提供すると共に、そのディスク記録装置を小型化させ、重量の軽減を図ることができるようにするという目的を、簡単な構造によって実現した。
【実施例１】
【００２５】
図１〜図２２は、本発明の実施の形態の例を示すものである。即ち、図１〜図２２は本発明のディスク記録装置の一実施例を示すディスク式撮像装置であり、図１は正面図、図２は底面図、図３は平面図、図４は背面図、図５は左側面図、図６は右側面図、図７は外観斜視図、図８はバックルを開いて正面側から見た斜視図、図９は背面側から見た斜視図、図１０はディスク側蓋体を開いた斜視図、図１１はディスク側蓋体及びバックルを開いた斜視図、図１２はセンタ枠体を底面側から見た斜視図、図１３は同じく平面側から見た斜視図、図１４はディスクドライブ装置と蓋開閉機構を示す斜視図、図１５は蓋開閉機構のスライドロック機構の分解斜視図、図１６は蓋開閉機構のカンヌキ機構の分解斜視図、図１７〜図１９は蓋開閉機構の動作を示す説明図、図２０Ａ〜Ｃはスライドロック機構の動作を示す説明図、図２１は使用状態を示す説明図、図２２は蓋開閉機構の制御処理を示すフローチャートである。
【００２６】
図１〜図１１に示すディスク記録装置は、情報記憶メディアとしてディスク状記録媒体の一具体例を示すＤＶＤ−Ｒ（Digital Video Disc−Recordable）を使用し、光学的な画像をＣＣＤ（固体撮像素子）で電気的な信号に変換してＤＶＤ−Ｒに記録したり、液晶ディスプレイ等の平面モニタからなる表示装置に表示できるようにしたもの（以下「ディスク式撮像装置」という。）である。しかしながら、本発明のディスク記録装置に係る情報記憶メディアとしては、この実施例で示すＤＶＤ−Ｒに限定されるものではなく、ＤＶＤ−ＲＷその他の記録可能な光学ディスクは勿論のこと、光磁気ディスク、磁気ディスク等のように他の記録方式のディスク状記録媒体を用いることができることは勿論である。
【００２７】
ディスク式撮像装置１は、図１〜図１６に示すように、本体の一具体例を示す撮像装置本体２と、蓋体の一具体例を示すディスク蓋体１３と、着脱自在に装着されるＤＶＤ−Ｒを回転駆動して情報信号の記録（書き込み）及び再生（読み出し）を行うディスクドライブ装置３と、このディスクドライブ装置３の駆動制御等を行う制御回路等が設けられた図示しない制御装置と、被写体の像を光として取り込んで撮像手段としてのＣＣＤに導くレンズ装置５と、ＣＣＤから出力される映像信号に基づき映像を表示する液晶ディスプレイ等の平面モニタを有するタッチパネル装置７と、ＣＣＤから出力される映像信号を一時的に記憶する図示しない記憶装置等を備えて構成されている。これらディスクドライブ装置３とレンズ装置５とタッチパネル装置７等は、すべて撮像装置本体２内に収納されている。
【００２８】
図１１〜図１３に示すように、撮像装置本体２は、中央部に配置されたセンタ枠体１０と、このセンタ枠体１０の一面側を覆うレンズ側外装体１１と、このレンズ側外装体１１に設けた開口部１７を開閉可能に覆うバックル１２とから構成されている。このセンタ枠体１０のレンズ側外装体１１と反対側は、ディスク状記録媒体が着脱自在に装着されるディスク装着部４７とされており、そのディスク装着部４７は、センタ枠体１０に回動自在に取り付けられたディスク蓋体１３によって開閉可能に覆われている。
【００２９】
図１２及び図１３に示すように、センタ枠体１０は平面形状が略馬蹄形をなしており、略Ｕ字状をなす曲線枠部１６と、その曲線枠部１６の開口側を略直線状に連結する横桟部１５とを有する枠材からなっている。このセンタ枠体１０は、ディスクドライブ装置３等を収納できる高さを有しているが、横桟部１５側が高く設定されており、その反対側である曲線枠部１６の高さは、中央に至るに伴って逐次的に低くなるように勾配を有する形状とされている。このセンタ枠体１０内に、ディスクドライブ装置３や制御装置その他の装置及び機器が配置されている。
【００３０】
センタ枠体１０の横桟部１５の内側には、ディスク蓋体１３を撮像装置本体２に対して閉じた位置に保持（ロック）すると共に所定の開蓋動作が行われたときにロックを解除してディスク蓋体１３の開放操作を可能とする蓋開閉機構２１５が収納されるロック機構収納部２１６とカンヌキ機構取付部２１７とが設けられている。
【００３１】
蓋開閉機構２１５は、第１の操作手段が操作された後、記録手段によるディスク状記録媒体の第１の記録領域に対する情報信号の記録と第２の記録領域に対する目録情報の記録とが完了するまでの期間中ディスク蓋体１３が開かれるのを阻止する解除制御手段の一具体例を示すカンヌキ機構２１９と、ディスク蓋体１３を撮像装置本体２に対して閉じた位置に保持すると共にカンヌキ機構２１９によるディスク蓋体１３の保持が解除されることを阻止する期間が経過した後に第２の操作手段を操作することによってディスク蓋体１３の開放操作を可能としたロック手段の一具体例を示すスライドロック機構２１８と、を備えている。スライドロック機構２１８及びカンヌキ機構２１９については、後に詳細に説明する。
【００３２】
センタ枠体１０のロック機構収納部２１６にはスライドロック機構２１８が収納され、カンヌキ機構取付部２１７にはカンヌキ機構２１９が取り付けられている。ロック機構収納部２１６は、センタ枠体１０の横桟部１５の略全長に亘って設けられており、その一端である横桟部１５の一方にカンヌキ機構取付部２１７が設定されている。そして、横桟部１５のロック機構収納部２１６とカンヌキ機構取付部２１７とが交わる部分に、第２の操作手段の一具体例を示すスライドツマミ２２が取り付けられるツマミ支持部２２２が設けられている。
【００３３】
センタ枠体１０のツマミ支持部２２２には横方向に延在された長溝２２２ａが設けられ、その長溝２２２ａ内には同じく横方向に延在されたスリット２２３が設けられている。スリット２２３にはスライドツマミ２２の軸部が挿通されており、このスリット２２３にガイドされてスライドツマミ２２が横方向へスライド（摺動）移動可能とされている。横桟部１５の上面には、ディスク蓋体１３に設けた一対のロック爪２３３，２３３が挿脱自在に挿入される一対の貫通穴２２５，２２５が横並びに設けられている。一対のロック爪２３３，２３３は爪部材２３４に設けられた鉤形の突起部からなり、左右方向に所定間隔あけて横並びに配置されている。
【００３４】
このセンタ枠体１０のディスク蓋体１３と反対側の面に、レンズ側外装体１１が複数個の固定ネジによってネジ止めされて固定されている。レンズ側外装体１１の横桟部１５側には開口部１７が大きく開口されており、その開口部１７がバックル１２によって開閉自在とされている。そして、バックル１２は、センタ枠体１０に回動自在に支持された一対のヒンジアーム２３，２３によって回動自在に支持されている。この一対のヒンジアーム２３，２３の回動動作によってバックル１２が、図７に示す閉鎖位置若しくは図８に示す開放位置、又はこれら閉鎖位置から開放位置までの間の任意の位置で停止可能に構成されている。
【００３５】
また、バックル１２の内面の外周縁には、その全周に亘ってシール部材２４が取り付けられている。このシール部材２４は、バックル１２と撮像装置本体２との間の密着性を確保し、バックル１２内部の防水（若しくは防滴）構造を実現するものである。シール部材２４は、例えば、２色成形によってバックル１２と一体に形成してもよく、また、紐状のシール部材を接着剤でバックル１２に一体的に固定する構成としてもよい。
【００３６】
このバックル１２は、開口部１７を開閉する蓋体としての機能の他に、ディスク蓋体１３を閉じた位置に強く締め付けて固定する締結具の機能も兼ね備えている。そのためバックル１２の先端側の略中央部には、回動自在に支持されたローラ３０を有する締結具２９が設けられている。これに対応させて、ディスク蓋体１３の先端側の略中央部には、ローラ３０に係合される係合突起３１が設けられている。この係合突起３１にローラ３０を乗り越えさせて締結具２９を係合することにより、ディスク蓋体１３をバックル１２で強固に締め付けて閉じた位置に保持することができる。
【００３７】
この締め付け動作と逆動作を締結具２９に加え、ディスク蓋体１３の係合突起３１から離れる方向にローラ３０を回動させてその係合状態を解除することにより、バックル１２を開放して開口部１７を開口させることができる。この開口部１７内にはバッテリー収納部１８と３つの操作手段が配設されており、これらがバックル１２によって閉塞又は開放可能とされている。３つの操作手段は、前述したスライドツマミ２２と、記録手段によるディスク状記録媒体への記録動作を停止させる第１の操作手段である記録停止スイッチ２１と、何らかのトラブルによって起動停止されたディスク式撮像装置１を再起動させるための再起動スイッチ２７である。
【００３８】
かくして、バックル１２が図７に示す閉じた位置にあるときには、開口部１７がバックル１２によって閉じられるため、バッテリー収納部１８と３つの操作手段とが共に覆い隠される。しかも、バックル１２の内面の外周縁に設けたシール部材２４が全周に亘ってレンズ側外装体１１に液密に密着されるため、その密着部から撮像装置本体２の内部に埃やゴミ等が入り込むのを防止できることは勿論のこと、水や水分等の液体が入り込むことをも確実に防止することができる。
【００３９】
一方、バックル１２が、図８に示す開放位置にあるときには、バッテリー収納部１８と記録停止スイッチ２１とスライドツマミ２２と再起動スイッチ２７とがそれぞれ露出される。そのため、バックル１２の開放状態では、バッテリー収納部１８から電源の一具体例を示すバッテリー２８を取り出したり、そのバッテリー収納部１８に新たなバッテリー２８を装着したりすることができる。また、バックル１２が開放位置にあるときにのみ記録停止スイッチ２１とスライドツマミ２２と再起動スイッチ２７とが操作可能な状態になるため、バックル１２が開放される前にスライドツマミ２２が誤って操作され、所定の情報信号が記録される前に誤ってディスク蓋体１３が開放されて、記録漏れ等の不具合が発生するのを防止することができる。
【００４０】
図８に示すように、バッテリー収納部１８はバッテリーホルダ１９によって構成されている。バッテリーホルダ１９は、上面と前面に開口された長方形の筐体からなり、その背面部には、バッテリー２８の端子部に接続される本体側の接続端子が取り付けられる端子部が設けられている。このバッテリーホルダ１９の左側面の前部にスイッチ受け台９５が設けられており、そのスイッチ受け台９５に記録停止スイッチ２１と再起動スイッチ２７とが配置されている。
【００４１】
図１０、図１１及び図１４に示すように、ディスクドライブ装置３は、メカデッキ３５と、テーブル回転装置３６と、記録手段の一具体例を示す光学ピックアップ装置３７と、ピックアップ移動装置３８等を備えて構成されている。メカデッキ３５は、ＤＶＤ−Ｒと略同程度の大きさを有する枠状の部材からなり、複数個のマウント部材２６０を介してセンタ枠体１０に弾性的に支持されている。このメカデッキ３５の中央から一方へ偏倚した位置に、テーブル回転装置３６が搭載されている。
【００４２】
テーブル回転装置３６は、メカデッキ３５に複数本の固定ネジでネジ止めされたモータベース３９と、このモータベース３９に固定されたスピンドルモータ４０と、このスピンドルモータ４０の回転部に固定されたターンテーブル４１等から構成されている。ターンテーブル４１は、ＤＶＤ−Ｒの中心孔が嵌合されるディスク嵌合部４１ａと、その中心孔の周縁部が載置されるディスク載置部４１ｂとからなっている。そして、ターンテーブル４１の嵌合部４１ａには、ＤＶＤ−Ｒの中心孔の周縁部に係合することによりＤＶＤ−Ｒをセンタリングして保持する複数個のクランプ爪４２（本実施例では３個）が周方向に等間隔あけて設けられている。
【００４３】
ターンテーブル４１の各クランプ爪４２は、それぞれコイルバネによって半径方向外側へ付勢されている。このコイルバネのバネ力によるクランプ爪４２の保持力により、ＤＶＤ−Ｒがターンテーブル４１の中央にセンタリングされると共に、一定の保持力で保持される。このコイルバネのバネ力に抗してクランプ爪４２を後退させることにより、ターンテーブル４１に対するＤＶＤ−Ｒの装着動作及び離脱動作を行うことができる。
【００４４】
光学ピックアップ装置３７は、ＤＶＤ−Ｒの情報記録面に対向されるピックアップレンズ４４を有する二軸アクチュエータと、この二軸アクチュエータが搭載されたスライド部材４５等を備えて構成されている。スライド部材４５は、ピックアップ移動装置３８によって往復移動自在とされており、ターンテーブル４１に対して接近及び離反可能に構成されている。ピックアップ移動装置は、互いに平行に配置された２本のガイド軸４６ａ，４６ｂと、これらガイド軸４６ａ，４６ｂと平行に設けられた送りネジ軸４９と、この送りネジ軸４９を回転駆動する送りモータ等から構成されている。
【００４５】
ピックアップ移動装置３８の２本のガイド軸４６ａ，４６ｂは、スピンドルモータ４０を両側から挟んでディスク式撮像装置１の前後方向に延在されている。この２本のガイド軸４６ａ，４６ｂにスライド部材４５が摺動可能に保持されており、そのスライド部材４５に取り付けられたナット部材５１が送りネジ軸４９のネジ部に係合されている。かくして、ピックアップ移動装置３８の送りモータを回転駆動することにより、送りネジ軸４９の回転方向に応じて光学ピックアップ装置３７が、ターンテーブル４１に近づく方向とそのターンテーブル４１から離れる方向とに選択的に移動される。
【００４６】
このような構成を有するディスクドライブ装置３が、ターンテーブル４１をディスク蓋体１３側に配した状態でセンタ枠体１０に取り付けられている。このディスクドライブ装置３のターンテーブル４１側に、ＤＶＤ−Ｒ等のディスク状記録媒体が着脱可能に装着されるディスク装着部４７が設定されている。更に、撮像装置本体２内のディスクドライブ装置３の奥にはレンズ装置用の空間部が設定されており、その空間部内にレンズ装置５が配設されている。
【００４７】
図４及び図９に示すように、ディスク蓋体１３には、円形に盛り上げられた膨出部１３ａが設けられている。この膨出部１３ａは、ターンテーブル４１に装着されるディスク状記録媒体（例えば、直径が８ｃｍのＤＶＤ−Ｒ等）の大きさに見合う大きさとされている。このディスク蓋体１３の膨出部１３ａの略中央部には長方形をなす開口窓４８が設けられており、その開口窓４８には表示装置の一具体例を示すタッチパネル装置７が取り付けられている。
【００４８】
タッチパネル装置７は、タッチパネルと表示パネルとバックライトパネルとホルダと押え板等を備えて構成されている。タッチパネルの一面に表示パネルが接着剤によって接着され、その表示パネルの他面にバックライトパネルが配置されている。表示パネルとバックライトパネルの周囲は、四角形の枠体からなるホルダによって囲われており、このホルダがタッチパネルとバックライトパネルで挟持されている。これにより、全体で１つの組立体をなすタッチパネル装置７が構成されている。なお、表示パネルとしては、例えば、液晶ディスプレイ（ＬＣＤ）やＥＬ(Electroluminescence）パネル等の平面モニタが好適である。
【００４９】
このようにタッチパネル装置７が取り付けられたディスク蓋体１３は、ヒンジ機構６９によってセンタ枠体１０に回動自在に支持されている。ヒンジ機構６９はバックル１２とは反対側に取り付けられており、このヒンジ機構６９を介してディスク蓋体１３を回動することにより、ディスク装着部４７がディスク蓋体１３によって開閉される。このディスク蓋体１３の膨出部１３ａのタッチパネル装置７の下部には、電源をオン・オフ等するための切換スイッチ５０等が配設されている。切換スイッチ５０は、円弧状にスライド可能とされていると共に、所定位置において押圧操作可能に構成されている。
【００５０】
即ち、切換スイッチ５０は、スライド操作によって電源のオン・オフが切り換えられると共に、その電源のオン状態において押圧操作することにより、撮影モード（例えば、静止画撮影、動作撮影、再生表示等）の切り換え操作が可能とされている。このディスク蓋体１３の膨出部１３ａより外側の、背面から見て右上部には、撮像装置本体２を把持するための把持部５２の一部を構成する第１の指掛け部５２ａが設けられている。この第１の指掛け部５２ａには、右手の親指が当接される。
【００５１】
また、図３及び図１１に示すように、センタ枠体１０の曲線枠部１６における横桟部１５側の一方の端部には、撮影の開始と終了を実行する録画ボタン５４と、一対のズームボタンが配置されている。一対のズームボタンは、レンズ装置５をワイド（広角）側に移動させるワイドボタン５５と、レンズ装置５をテレ（望遠）側に移動させるテレボタン５６とから構成されている。ワイドボタン５５とテレボタン５６は、それぞれのボタンを押し続ける間だけ画面の拡大又は縮小が連続して実行され、それぞれの終端においてワイド側又はテレ側への移動が停止されるようになっている。
【００５２】
図２及び図７に示すように、センタ枠体１０の曲線枠部１６における横桟部１５側の他方の端部には、このディスク式撮像装置１を、図示しない三脚に取り付けるための三脚用固定金具５８が埋め込まれ、複数個の固定ネジ５９によって着脱可能に取り付けられている。三脚用固定金具５８は、長手方向両端の円弧部分の曲率半径が異なる略長円形の部材からなり、その大径側に三脚の固定ネジが螺合されるネジ穴５８ａが設けられている。
【００５３】
更に、図１及び図７等に示すように、ディスク式撮像装置１の正面に配置されたレンズ側外装体１１のバックル１２と反対側の端部には、正面に撮像レンズ６２を露出させた状態でレンズ装置５が配設されている。このレンズ装置５を配置するためレンズ側外装体１１には、正面側に突き出したレンズ用膨出部が設けられており、そのレンズ用膨出部にはレンズカバー６５が装着されている。そして、レンズ用膨出部に設けた凹陥部内に、撮像レンズ６２を保護するためのレンズ保護ガラスを有するレンズ防水装置が設けられている。
【００５４】
レンズカバー６５は、レンズ側外装体１１のレンズ用膨出部６３に見合う形状とされていて、開口穴が設けられている。レンズカバー６５の開口穴には、レンズ保護ガラスを固定する固定部材６７が嵌合されている。このレンズカバー６５は、複数個の固定ネジによってレンズ側外装体１１に着脱可能に取り付けられている。
【００５５】
レンズ装置５は、複数個の筒体の組み合わせからなるレンズ鏡筒と、このレンズ鏡筒に保持された撮像レンズ６２を含む複数枚のレンズの組み合わせからなるレンズユニットとを備えて構成されている。そのレンズユニットの光軸上の後方に、撮像手段の一具体例を示すＣＣＤが配置されている。ＣＣＤはレンズ鏡筒に固定されていて、その受光面の略中央部にレンズユニットの光軸が位置するように構成されている。このレンズ装置５のレンズユニットを透過した被写体の光がＣＣＤに受光されることにより、その被写体に対応した電気信号からなる映像信号がＣＣＤから制御装置やタッチパネル装置７等に出力される。その結果、被写体に対応した情報が、光学ピックアップ装置３７によってＤＶＤ−Ｒに記録され、或いはタッチパネル装置７の画面に表示される。
【００５６】
図１０に示すように、センタ枠体１０の一方の端面部であるレンズ側外装体１１と接触される端面部には第１の嵌合溝が設けられており、その第１の嵌合溝には第１のシール部材２０１が取り付けられている。また、図１１に示すように、センタ枠体１０の他方の端面部であるディスク蓋体１３と接触される端面部には第２の嵌合溝が設けられており、その第２の嵌合溝には第２のシール部材２０２が取り付けられている。第１のシール部材２０１及び第２のシール部材２０２の材質としては、例えば、射出成形の可能なエラストマやプラスチックが好適であり、センタ枠体１０に２色成形やインサート成形して一体に形成してもよく、また、後からセンタ枠体１０に貼り付けて固定してもよい。
【００５７】
図１４及び図１５に示すように、蓋開閉機構２１５のスライドロック機構２１８は、スライドベース部材２４１と２つのスライダ２４２，２４３と回動リンク２４４と２つの弾性部材２４５，２４６とを備えて構成されている。スライドベース部材２４１は、センタ枠体１０の横桟部１５の長さよりも少々短く、且つ、その横桟部１５の幅と同程度の幅を有する長尺状の薄い板体からなっている。スライドベース部材２４１の幅方向の一方には、固定部２４１ａと支持部２４１ｂと位置決め部２４１ｃとが設けられ、また、幅方向の他方にはバネ受け部２４１ｄが設けられている。
【００５８】
スライドベース部材２４１の固定部２４１ａは、その長手方向の一側に配置され、位置決め部２４１ｃは長手方向の他側に配置されていて、その中途部に支持部２４１ｂが配置されている。これら固定部２４１ａと支持部２４１ｂと位置決め部２４１ｃとは、２つのスライダ２４２，２４３が摺動されるスライド支持面２４８に対してそれぞれ９０度折り曲げられて形成されている。固定部２４１ａと位置決め部２４１ｃは、スライドベース部材２４１をセンタ枠体１０に対して位置決めすると共に複数個の固定ネジ（本実施例では２個）を使用して締め付け固定するものである。また、支持部２４１ｂは、他の部材をネジ止めするためのものである。
【００５９】
スライドベース部材２４１のスライド支持面２４８には、２つで１組の第１のガイドピン２４８，２４８と、同じく２つで１組の第２のガイドピン２４９，２４９と、支持ピン２５１とがそれぞれ上面に突出するように設けられている。第１のガイドピン２４８，２４８は第１のスライダ２４２をガイドするものであり、また、第２のガイドピン２４９，２４９は第２のスライダ２４３をガイドするものである。そして、支持ピン２５１は、回動リンク２４４を回動自在に支持するものである。支持ピン２５１は固定部２４１ａと支持部２４１ｂとの間に配置されていて、この支持ピン２５１の両側に第１のガイドピン２４８，２４８が略等間隔に配置されている。そして、第２のガイドピン２４９，２４９は、位置決め部２４１ｃの近傍に配置されている。
【００６０】
第１のスライダ２４２は、その幅はスライドベース部材２４１と同程度であるが、その長さがスライドベース部材２４１よりも少々短く設定された長尺状の薄い板体からなっている。この第１のスライダ２４２の幅方向の一方には、一対のストッパ２５２，２５２が設けられている。一対のストッパ２５２，２５２は、ディスク蓋体１３に設けた一対のロック爪２３３，２３３と着脱可能に係合されるもので、当該ロック爪２３３，２３３と同一の間隔をあけて形成されている。一対のストッパ２５２，２５２は、第１のスライダ２４２の一部を略９０度上方へ折り曲げることによって横並びに形成されている。
【００６１】
第１のスライダ２４２の長手方向の一方には、第２のスライダ２４３との接触を防止するための段部２４２ａが設けられている。そして、段部２４２ａの先端部には、ストッパ２５２と反対側に突出するカンヌキ係合部２４２ｂが設けられている。カンヌキ係合部２４２ｂの先端には、２つに折り返すことによって補強された受圧部２４２ｃが設けられている。更に、第１のスライダ２４２の一対のストッパ２５２，２５２と反対側の辺には、バネ受け片２５３が一体に折り曲げ形成されている。
【００６２】
また、第１のスライダ２４２には、２つで１組の第１の長穴２５５，２５５と、第２の長穴２５６とが設けられている。これら第１及び第２の長穴２５５，２５６は、第１のスライダ２４２の長手方向にそれぞれ所定間隔あけて所定長さに形成されている。１組の第１の長穴２５５，２５５にはスライドベース部材２４１の１組の第１のガイドピン２４８，２４８がそれぞれ摺動可能に係合されている。これにより、第１のガイドピン２４８，２４８にガイドされて第１のスライダ２４２が、その長手方向に所定範囲内でスライド自在に支持されている。更に、第１のスライダ２４２の一方の第１の長穴２５５には、回動リンク２４４の回動を規制するストッパ片２５７が設けられている。
【００６３】
第１のスライダ２４２の第２の長穴２５６には、スライドベース部材２４１の支持ピン２５１が摺動可能に係合されている。支持ピン２５１は回動リンク２４４の中央穴２４４ａも貫通しており、これにより回動リンク２４４がスライドベース部材２４１に対して回動自在に支持されている。回動リンク２４４には、一方に突出するバネ受けアーム２４４ａと、このバネ受けアーム２４４ａの反対側に突出するストッパアーム２４４ｂが設けられている。そして、回動リンク２４４のストッパアーム２４４ｂの基部には、ディスク蓋体１３を閉じるときに一対のロック爪２３３，２３３の一方が当接される入力片２５８が設けられている。
【００６４】
回動リンク２４４のバネ受けアーム２４４ａには、第１の弾性部材の一具体例を示す引っ張りコイルバネからなる第１のコイルバネ２４５の一端が係止されている。第１のコイルバネ２４５の他端は、適当に引っ張られた状態で第１のスライダ２４２のバネ受け片２５３に係止されている。この第１のコイルバネ２４５のバネ力により付勢されて、第１のスライダ２４２がスライドベース部材２４１の固定部２４１ａに近い側にあるときにはストッパアーム２４４ｂがストッパ片２５７に当接し、また、第１のスライダ２４２が固定部２４１ａから遠い側にあるときには入力片２５８がストッパ片２５７に当接するように構成されている。
【００６５】
第２のスライダ２４３のスライド方向の長さは、１組の第２のガイドピン２４９，２４９間の距離よりも少々長く形成されている。一方、第２のスライダ２４３のスライド方向と交差する幅方向の長さは、スライドベース部材２４１の幅の略２倍程度の長さに形成されている。この第２のスライダ２４３の幅方向の一方にはスライド方向に所定の間隔をあけて１組の長穴２６１，２６１が設けられ、幅方向の他方にはカンヌキ穴２６２が設けられている。そして、１組の長穴２６１，２６１とカンヌキ穴２６２との間には、同じくスライド方向に延在されたガイド穴２６３が設けられている。
【００６６】
第２のスライダ２４３のガイド穴２６３には、スライドベース部材２４１の位置決め部２４１ｃが摺動可能に挿通されている。このガイド穴２６３には、前述したスライドツマミ２２の軸部が挿通される切欠き部２６４が設けられている。更に、第２のスライダ２４３には、バネ受け片２４３ａが設けられている。この第２のスライダ２４３のバネ受け片２４３ａには、第２の弾性部材の一具体例を示す引っ張りコイルバネからなる第２のコイルバネ２４６の一端が係止されている。第２のコイルバネ２４６の他端は、適当に引っ張られた状態でスライダベース部材２４１のバネ受け部２４１ｄに係止されている。この第２のコイルバネ２４６のバネ力により第２のスライダ２４３が、第１のスライダ２４２から離れる方向に常時付勢されている。
【００６７】
なお、４つのガイドピン２４８，２４９と支持ピン２５１の各先端にはフランジ状の頭部が設けられており、それらの頭部によってスライドベース部材２４１からの第１及び第２のスライダ２４２，２４３並びに回動リンク２４４の抜け出しが防止されている。
【００６８】
このような構成を有するスライドロック機構２１８がセンタ枠体１０のロック機構収納部２１６に収納されている。そして、複数個の固定ネジでスライドベース部材２４１をセンタ枠体１０にネジ止めすることにより、スライドロック機構２１８がセンタ枠体１０の横桟部１５の内側に取り付けられている。
【００６９】
このとき、横桟部１５に開口された２つの貫通穴２２５，２２５のうちの一方には、回動リンク２４４の入力片２５８が対向されている。図２０Ａに示すように、入力片２５８が第１のコイルバネ２４５のバネ力によって貫通穴２２５に近づいており、回動リンク２４４のストッパアーム２４４ｂが第１のスライダ２４２のストッパ片２５７に当接している状態では、第１のスライダ２４２は第２のスライダ２４３から離れる側に位置されている。そのため、第１のスライダ２４２に設けた２つのストッパ２５２，２５２は、横桟部１５の２つの貫通穴２２５，２２５の側方に位置しており、２つの貫通穴２２５，２２５は共に開口された状態となっている。
【００７０】
この状態では、ディスク蓋体１３に設けた２つのロック爪２３３，２３３が２つの貫通穴２２５，２２５内に入り込むと、一方のロック爪２３３が入力片２５８に当接される。そのため、ディスク蓋体１３を所定位置まで閉じると、入力片２５８がロック爪２３３で押圧されて奥行き方向に移動する。その結果、第１のコイルバネ２４５のバネ力によって第１のスライダ２４２が引っ張られ、その第１のスライダ２４２が第２のスライダ２４３に近づく方向に移動される。
【００７１】
これに対して、図２０Ｂに示すように、横桟部１５の一方の貫通穴２２５に対向している入力片２５８が、その貫通穴２２５から奥行き方向に遠ざかっている状態では、回動リンク２４４の入力片２５８が第１のスライダ２４２のストッパ片２５７に当接されている。これにより、第１のスライダ２４２は、第１のコイルバネ２４５のバネ力によって第２のスライダ２４３に近づく側に位置されている。そのため、第１のスライダ２４２に設けた２つのストッパ２５２，２５２は、横桟部１５の２つの貫通穴２２５，２２５の略半分を閉じた位置まで移動している。
【００７２】
この状態は、２つのストッパ２５２，２５２が２つのロック爪２３３，２３３に係合されていて、スライドロック機構２１８がロックしている状態である。そのため、ディスク蓋体１３が撮像装置本体２に対して閉じた位置に保持され、ディスク蓋体１３を開けることができない状態となっている。
【００７３】
図１４及び図１６乃至図１９に示すように、蓋開閉機構２１５のカンヌキ機構２１９は、カンヌキベース部材２７１とカンヌキスライダ２７２とカンヌキレバー２７３と弾性部材２７４とを備えて構成されている。カンヌキベース部材２７１は、カンヌキスライダ２７２を摺動自在に支持する摺動支持部２７１ａと、カンヌキスライダ２７２を摺動させるための動力を発生する駆動手段の一具体例を示すモータ２７５が取り付けられるモータ取付部２７１ｂと、このカンヌキベース部材２７１をセンタ枠体１０に固定するための第１の固定部２７１ｃ及び第２の固定部２７１ｄとを有し、薄い板体によって形成されている。
【００７４】
カンヌキベース部材２７１の摺動支持部２７１ａには、その支持面が延びる方向に延在された第１の長穴２７６と、この第１の長穴２７６が延びる方向に所定の間隔をあけて配置された２つの第１のガイドピン２７７，２７７が設けられている。２つの第１のガイドピン２７７，２７７の中心を結ぶ方向と第１の長穴２７６が延在する方向とは平行にされており、モータ取付部２７１ｂに近い側に２つの第１のガイドピン２７７，２７７が配置されている。また、モータ取付部２７１ｂは、摺動支持部２７１ａとの間に段差を付けるための段部２７１ｄを設けることによって一段高い位置に設定されている。このモータ取付部２７１ｂの内側にモータ２７５が固定ネジによる固定手段によって固定されている。
【００７５】
カンヌキベース部材２７１の段部２７１ｄには、モータ２７５の出力軸に固定されたギア２７８（図１７〜図１９を参照）をガイドピン２７７側に露出させるための開口部２８１が設けられている。また、第１の固定部２７１ｃには、カンヌキベース部材２７１をセンタ枠体１０に位置決めするための位置決め孔２８２ａと、ねじ止めするためのネジ穴２８２ｂとが設けられている。そして、第２の固定部２７１ｄには、同じくカンヌキベース部材２７１をセンタ枠体１０に位置決めするための切欠き２８３ａと、ねじ止めするためのネジ穴２８３ｂとが設けられている。カンヌキベース部材２７１の第１の固定部２７１ｃはセンタ枠体１０の横桟部１５の内側に配置され、第２の固定部２７１ｄは曲線枠部１６の内側に配置される。
【００７６】
カンヌキスライダ２７２は、カンヌキベース部材２７１の摺動支持部２７１ａと略同様の形状とされた薄い板体によって形成されている。このカンヌキスライダ２７２の摺動方向の長さは、摺動支持部２７１ａの長さからカンヌキスライダ２７２のストローク量を差し引いた長さと同程度に設定されている。これにより、カンヌキスライダ２７２は、その移動の前後において摺動支持部２７１ａ内に略収まる大きさ及び形状とされている。
【００７７】
カンヌキスライダ２７２の摺動方向と交差する方向の一側には、２つで１組をなす第２の長穴２８４，２８４が設けられている。１組の第２の長穴２８４，２８４は、カンヌキスライダ２７２の摺動方向に所定の間隔をあけて設けられており、カンヌキベース部材２７１の１組の第１のガイドピン２７７，２７７がそれぞれ摺動可能に係合されている。これにより、カンヌキスライダ２７２は、１組の第１のガイドピン２７７，２７７にガイドされてその長手方向に所定範囲内でスライド自在に構成されている。
【００７８】
カンヌキスライダ２７２の長辺側である１組の第２の長穴２８４，２８４の一方の近傍には、スライド方向に延在されたラック２８５が設けられている。ラック２８５の長さは、１つの第２の長穴２８４の長さと略同じ長さに設定されている。更に、カンヌキスライダ２７２において、ラック２８５が延在する方向の両側には、このカンヌキスライダ２７２の位置を検出するために２つの位置検出センサ２９１，２９２をオン・オフ操作するための２つの位置検出片２８６，２８７が設けられている。
【００７９】
２つの位置検出片２８６，２８７は、カンヌキスライダ２７２の摺動面と略直交するように一面側にそれぞれ突出されている。これらの位置検出片２８６，２８７によってオン・オフ操作される２つの位置検出センサ２９１，２９２は、図１７〜図１９に示すように、カンヌキベース部材２７１のモータ取付部２７１ｂの上面に取り付けられている。２つの位置検出センサ２９１，２９２の取付位置を適宜に設定することにより、カンヌキスライダ２７２の摺動する範囲とそのストローク量とを調整することができる。
【００８０】
更に、カンヌキスライダ２７２の、２つの位置検出片２８６，２８７が突出する側の面には、同方向に突出する支持ピン２８８と規制ピン２８９とが設けられている。そして、カンヌキスライダ２７２の支持ピン２８８等が設けられた面と反対側の面には、カンヌキベース部材２７１の第１の長穴２７６に摺動自在に係合される第２のガイドピン２９３が設けられている。また、カンヌキベース部材２７１のラック２８５と反対側にはバネ受部２７２ａが設けられている。
【００８１】
カンヌキレバー２７３は、第３の長穴２９４と回動用穴２９５とが設けられた薄い板体からなり、第３の長穴２９４と回動用穴２９５とは縦方向に若干の隙間をあけて設けられている。第３の長穴２９４と回動用穴２９５とは、長手方向の長さは略同一長さに設定されているが、その長手方向と交差する幅方向の長さは、回動用穴２９５の幅が第３の長穴２９４の幅よりも広く設定されている。そして、回動用穴２９５の摺動方向の中心線は、第３の長穴２９４の中心線に対して偏倚させて設けられている。
【００８２】
カンヌキレバー２７３の第３の長穴２９４にはカンヌキスライダ２７２の支持ピン２８８が摺動可能に係合されている。また、カンヌキレバー２７３の回動用穴２９５には、カンヌキスライダ２７２の規制ピン２８９が移動可能に係合されている。これにより、カンヌキスライダ２７２に対してカンヌキレバー２７３が、回動用穴２９５内を規制ピン２８９が移動可能な範囲内において、支持ピン２８８を回動中心として回動可能に構成されている。
【００８３】
なお、２つの第１のガイドピン２７７と第２のガイドピン２９３の各先端にはフランジ状の頭部が設けられており、それらの頭部によってカンヌキベース部材２７１とカンヌキスライダ２７２とが相対的に脱落して分離されるのを防止している。同様に、支持ピン２８８と規制ピン２８９の各先端にもフランジ状の頭部が設けられており、それらの頭部によってカンヌキレバー２７３がカンヌキスライダ２７２から抜け出して分離されるのを防止している。
【００８４】
更に、カンヌキレバー２７３には、スライドロック機構２１８の第２のスライダ２４３のカンヌキ穴２６２に対して挿脱可能に係合されるカンヌキ爪２９６と、バネ受け部２７３ａとが設けられている。カンヌキレバー２７３のバネ受け部２７３ａには、弾性部材の一具体例を示す引っ張りコイルバネ２７４の一端が係止されている。このコイルバネ２７４の他端は、適当に引っ張られた状態でカンヌキスライダ２７２のバネ受け部２７２ａに係止されている。このコイルバネ２７４のバネ力によってカンヌキレバー２７３が、カンヌキ爪２９６を上方へ押し出すように付勢されている。
【００８５】
カンヌキレバー２７３のカンヌキ爪２９６には、組立時完了後においてスライドロック機構２１８のカンヌキ穴２６２に係合可能なように、クランク状の折り曲げ部が設けられている。また、カンヌキレバー２７３の回動用穴２９５のカンヌキ爪２９６側の辺には、コイルバネ２７４のバネ力に抗して後退した状態のカンヌキレバー２７３が容易に回動できるように円弧状の切欠き２９５ａが設けられている。
【００８６】
なお、前述した駆動手段としては、この実施例で用いたモータに限定されるものではなく、例えば、プランジャソレノイド、形状記憶合金を使用したアクチュエータ、その他の動力発生装置を適用できるものである。この駆動手段は、カンヌキレバー２７３のカンヌキ爪２９６を、第２のスライダ２４３のカンヌキ穴２６２に対して単に出入りさせることができればよいもので、そのために大きな力は必要とされないものである。  
【００８７】
このような構成を有するカンヌキ機構２１９がスライドロック機構２１８に対して図１７〜図１９に示すような位置関係となるように、センタ枠体１０に固定ネジによる固着手段によって固定されている。このとき、カンヌキ機構２１９のカンヌキベース部材２７１の摺動面は、スライドロック機構２１８のスライドベース部材２４１の摺動面に対して互いに直交するよう略９０に設定される。
【００８８】
このように、スライドロック機構２１８とカンヌキ機構２１９とは、それぞれが個別に組み立てられ、独立の組立体として構成される。そして、スライドロック機構２１８及びカンヌキ機構２１９が、それぞれ組立体として組立工程に供されるため、組み立て工程を簡略化して製造効率を高めることができる。そして、カンヌキレバー２７３が後退した状態にあるときには、スライドロック機構２１８とカンヌキ機構２１９との間には係合部や連結部は存在せず、カンヌキレバー２７３が前進して第２のスライダ２４３のカンヌキ穴２６２にカンヌキ爪２９６が入り込んだときにのみ、両機構２１８，２１９間が動力伝達可能に連結される。
【００８９】
図２２は、上述したような構成を有する蓋開閉機構２１５におけるディスク蓋体１３の開蓋操作を行うためのフローチャートを示すものである。図２２において、まず、ステップＳ１で、イジェクト準備釦である記録停止スイッチ（第１の操作手段）２１が押されたか否かを判定する。このステップＳ１において、記録停止スイッチ２１が、まだ押されていないと判定されたときには、このステップＳ１に戻り、記録停止スイッチ２１が押されるまで、その判定を繰り返す。一方、ステップＳ１において、記録停止スイッチ２１が押されたと判定されたときには、ステップＳ２に移行する。
【００９０】
ステップＳ２では、電源が入っているか否かを判定する。このステップＳ２において、電源が入っていないと判定されたときには、ステップＳ３に移行して、電源をオンにした後、ステップＳ４に移行する。一方、ステップＳ２において、電源が入っていると判定されたときには、そのままステップＳ４に移行する。
【００９１】
ステップＳ４では、ＤＶＤ−Ｒ等のディスクが撮像装置本体２内のディスク装着部４７に入っているか否か、即ち、ディスク装着部４７のターンテーブル４１に装着されているか否かを判定する。このステップＳ４において、ディスクが入っていないと判定されたときには、そのままディスク蓋体１３を開けることによっても記録漏れ等の不具合を生じることがないため、ステップＳ８に移行する。一方、ステップＳ４において、ディスクが入っていると判定されたときには、ステップＳ５に移行する。
【００９２】
ステップＳ５では、ディスクに対する書き込み処理が終了しているか否か、即ち、ディスクの第１の記録領域に対して所定の情報信号が記録され、且つ、その後に続けて、第１の記録領域に記録された情報信号に関する目録情報がディスクの第２の記録領域に記録された後であるか否かを判定する。このステップＳ５において、上記情報信号及び目録情報の記録が、すでに終了しているときには、ステップＳ８に移行する。一方、ディスクに対する書き込み処理が終了していないと判定されたときには、ステップＳ６に移行する。
【００９３】
ステップＳ６では、オープンランプの赤色灯を点灯し、ディスク蓋体１３を開けることができない旨を警告するように表示する。次に、ステップＳ７に移行して、ディスクに対する書き込み処理を完了させる。この書き込み処理としては、第１の記録領域に所定の情報信号を記録した後、例えば、第１の記録領域の内側に設定されている管理領域である第２の記録領域に対して、次のような管理情報、その他の必要な目録情報を記録し、その記録動作を完了させる。このような目録情報の書き込みとしては、例えば、ＲＭＤ(Recording Management data)の書き込み、ディスクのどこまで書かれているかの書き込み、ファイルシステムの更新（サムネイル画の表示等）、その他各種の必要事項の書き込みを適用することができる。次に、ステップＳ８に移行する。
【００９４】
ステップＳ８では、ディスクのイジェクトを許可する。次に、ステップＳ９に移行して、蓋開閉機構２１５のモータ２７５を駆動し、通常はオフ状態となっているカンヌキ機構２１９をオン状態にする。このカンヌキ機構２１９のオン・オフ状態及びその切換動作は、後述する蓋体の開閉動作において詳細に説明する。続いて、ステップＳ１０に移行して、オープンランプの緑色灯を点灯し、ディスク蓋体１３を開けることができる旨を表示する。そして、ステップＳ１１に移行する。
【００９５】
ステップＳ１１では、イジェクト操作のための第２の操作手段であるスライドツマミ２２が操作されたか否か、即ち、ディスク蓋体１３を直接開放させるためにスライドツマミ２２がスライド操作されたか否かを判定する。このステップＳ１１において、スライドツマミ２２のスライド操作が行われていないと判定されたときには、ステップＳ１２に移行する。このステップＳ１２の判定は、例えば、ユーザーがイジェクト許可状態を１０秒以上保持し、その間にスライドツマミ２２のスライド操作が行われないときに、スライドツマミ２２のスライド操作が行われていないと判定するようにする。
【００９６】
ステップＳ１２では、ユーザーがイジェクト許可状態のまま、これを１０秒以上保持したときに、自動的にカンヌキ機構２１９を元の状態に戻し、カンヌキをオフ状態に戻すようにする。その後、ステップＳ１に戻り、ステップＳ１１までの処理を繰り返す。一方、ステップＳ１１において、スライドツマミ２２のスライド操作が行われていると判定されたときには、ステップＳ１３に移行する。
【００９７】
ステップＳ１３では、ディスク蓋体１３が開かれたか否かを判定する。このディスク蓋体１３が開かれたか否かの判定は、例えば、ディスク蓋体１３の開閉動作を検出する蓋開閉検出スイッチを設け、その蓋開閉検出スイッチの検出信号に基づいて判定するようにする。このステップＳ１３において、例えば、蓋開閉検出スイッチの検出信号がオフに切り換えられていないとき、即ち、蓋開閉検出スイッチの検出信号がオン状態のままであって、ディスク蓋体１３を開く動作が行われていないと判定されたときには、ステップＳ１４に移行する。
【００９８】
ステップＳ１４では、オープンランプの緑色灯を消灯し、ステップＳ１に戻る。一方、ステップＳ１３において、ディスク蓋体１３を開く動作が行われていると判定されたときには、ステップＳ１５に移行する。このステップＳ１５では、ディスク蓋体１３を開けるという目的が達成されるため、オープンランプの緑色灯を消灯し、これで処理を終了する。
【００９９】
このような構成を有するディスク式撮像装置１の蓋開閉機構２１５によれば、次のようにして、撮像装置本体２に対するディスク蓋体１３の開蓋操作を行うことができる。まず、図７に示す状態から、バックル１２を開いて図８に示す状態に変化させ、イジェクト準備釦（記録停止スイッチ）２１とスライドツマミ２２を露出させる。そして、図２２に示すステップ１のように、イジェクト準備釦２１を押圧することにより、ステップ２〜ステップ７の処理を経て、ディスクへの書き込み処理が終了すると、ステップ８のようにディスクのイジェクトが許可となる。
【０１００】
これにより、ステップ８のように、カンヌキ機構２１９のモータ２７５が駆動され、そのカンヌキがオンとなって、カンヌキ機構２１９とスライドロック機構２１８とが動力伝達可能に連結される。
【０１０１】
即ち、カンヌキ機構２１９がオンとなるまでの間、スライドツマミ２２は、その軸部がスライドロック機構２１８の第２のスライダ２４３のガイド穴２６３の切欠き部２６４に係合されているため、第２のスライダ２４３はスライドツマミ２２と一体的に移動するが、第２のスライダ２４３はスライドベース部材２４１に摺動自在に支持されていて、第２のスライダ２４３の移動力が第１のスライダ２４２には伝達されないようになっている。そのため、この状態では、スライドツマミ２２をスライド動作させることはできるが、その移動力が第１のスライダ２４２には伝達されないために、ディスク蓋体１３が開放動作されることはない。
【０１０２】
一方、カンヌキ機構２１９がオンとなり、カンヌキ機構２１９とスライドロック機構２１８とが動力伝達可能に連結されると、スライドツマミ２２の移動力を、第２のスライダ２４３を介して第１のスライダ２４２に伝達させることができるようになる。この場合、カンヌキ機構２１９は、当初は図１７に示すような状態となっており、カンヌキベース部材２７１に支持されているカンヌキスライダ２７２は、スライドロック機構２１８の第２のスライダ２４３から最も離れた位置にある。そのため、カンヌキ部材２７３のカンヌキ爪２９６が第２のスライダ２４３のカンヌキ穴２６２から外れた位置にある。
【０１０３】
この状態から、カンヌキベース部材２７１に固定されているモータ２７５が回転すると、その回転力が、その出力軸に固定されているギア２７８から、これに噛合されているカンヌキスライダ２７２のラック２８５に伝達される。これにより、カンヌキスライダ２７２が、２つの第２の長穴２８４，２８４に係合されている２つの第１のガイドピン２７４，２７４と、第２のガイドピン２９３が係合されている第１の長穴２７６とに案内されて第２のスライダ２４３に近づく方向へ移動する。そして、第２のスライダ２４３が所定の上部位置まで移動すると、図１８に示すように、カンヌキ部材２７３のカンヌキ爪２９６が第２のスライダ２４３のカンヌキ穴２６２に入り込む。このカンヌキのオン状態をスライドロック機構２１８側から見た図が、図２０Ｂである。
【０１０４】
これら図１８及び図２０Ｂに示す状態から、スライドツマミ２２を第２のコイルバネ２４６のバネ力に抗してスライド動作させると、スライドツマミ２２と一体的に移動する第２のスライダ２４３のカンヌキ穴２６２の縁がカンヌキ爪２９６の側面に当接される。これにより、スライドツマミ２２をスライド動作させる力が、カンヌキ爪２９６を介して第１のスライダ２４２の受圧部２４２ｃに伝達される。また、第２のスライダ２４３の押圧力に対してカンヌキ部材２７３は、図１９に示すように、規制ピン２８９が貫通されている回動用穴２９５が十分に大きいため、カンヌキスライダ２７２が支持ピン２８８を回動中心にして、同図において時計方向に回動される。
【０１０５】
これにより、スライドツマミ２２をスライド動作させるユーザーの操作力が、スライドツマミ２２からカンヌキ爪２９６を介して第１のスライダ２４２に伝達され、その第１のスライダ２４２が、図１９及び図２０Ｃにおいて、右方向へ移動される。このとき、第１のスライダ２４２に設けた一対のストッパ２５２，２５２が同方向へ移動することにより、ディスク蓋体１３に設けた一対のロック爪２３３，２３３のロックが解除されるため、ディスク蓋体１３が開放可能となる。これと同時に、第１のスライダ２４２のストッパ片２５７が回動リンク２４４の入力片２５８から外れることにより、第１のコイルバネ２４５のバネ力によって回動リンク２４４が、図２０Ｂにおいて時計方向に回動される。
【０１０６】
これにより、回動リンク２４４のストッパアーム２４４ｂがストッパ片２５７に当接され、第１のコイルバネ２４５のバネ力によって第１のスライダ２４２が、当初の第２のスライダ２４３から離れた位置に保持される。このとき、回動リンク２４４の入力片２５８は、センタ枠体１０に設けた一対の貫通穴２２５，２２５のうち、一方の貫通穴２２５の浅い位置に移動する。また、スライドツマミ２２を押す力を解除すると、第２のスライダ２４３は、第２のコイルバネ２４６のバネ力によって第１のスライダ２４２から離れる方向（図２０Ｃにおいて左方向）へ移動する。これにより、図２０Ｃに示す状態から、図２０Ａに示す状態に復帰し、そのため、次に行われる再度のディスク蓋体１３の閉じ操作が可能となる。
【０１０７】
また、ディスク蓋体１３の開放動作を検出するための図示しない蓋体開放検出スイッチによってディスク蓋体１３の開放動作が検出されると、カンヌキ機構２１９のモータが逆方向に駆動され、カンヌキスライダ２７２を元の後退した位置に戻す操作が行われる。このとき、ユーザーがスライドツマミ２２を離している場合は勿論のこと、スライドツマミ２２を離していない場合においても、カンヌキ部材２７３はカンヌキスライダ２７２に対して回動自在に支持されているため、後退時にカンヌキ部材２７３を回動させて、カンヌキ爪２９６をカンヌキ穴２６２から容易に抜き出させることができる。
【０１０８】
なお、蓋体開放検出スイッチは、ディスク蓋体１３のオープン（開蓋）及び／又はクロス（閉蓋）を検出することができる何らかの検出手段であればよく、蓋体又は本体側或いはスライドツマミ２２の近傍に配置する。これらの検出スイッチから出力される信号に基づき蓋体が開いたことを認識した時点でモータ２７５を駆動し、カンヌキスライダ２７２とカンヌキ部材２７３を元の後退位置に戻すようにする。これにより、次回までのイジェクト準備状態に確実に入ることができ、ディスクへの書き込み処理中に、ユーザーが不用意に蓋体を開けて記録処理を中断してしまうことを、確実に防止することができる。
【０１０９】
このときカンヌキ部材２７３は、コイルバネ２７４のバネ力によって略垂直となった状態に保持される。その結果、カンヌキ機構２１９は、図１９に示す状態から、図１７に示す当初の状態に復帰される。
【０１１０】
これに対して、ディスク蓋体１３の閉蓋動作は、例えば、次のようにして行われる。図１０は、ディスク蓋体１３が完全に開かれ、ディスク装着部４７が開放された状態を示している。この状態では、ディスク装着部４７に所望のディスクを装着することができ、また、すでに装着されているディスクを他のディスクと交換することができる。
【０１１１】
図１０に示す状態から、ヒンジ機構６９により折り曲げてディスク蓋体１３をセンタ枠体１０に折り重ね、ディスク蓋体１３の内側に固定された一対のロック爪２３３，２３３をセンタ枠体１０の一対の貫通穴２２５，２２５に挿通する。これにより、図２０Ａに示すように、一対のロック爪２３３，２３３の一方が回動リンク２４４の入力片２５８に当接される。そこで、ディスク蓋体１３に更に力を加えて入力片２５８を押圧すると、回動リンク２４４が第１のコイルバネのバネ力に抗して支持ピン２５１を回動中心として、同図において反時計方向に回動される。
【０１１２】
この回動リンク２４４の回動により、そのストッパアーム２４４ｂと第１のスライダ２４１のストッパ片２５７との係合が解除され、そのストッパ片２５７が回動リンク２４４の入力片２５８に当接される。このとき、第１のコイルバネ２４５のバネ力によって第１のスライダ２４１が第２のスライダ２４２側に引っ張られ、同図において左側に移動する。これにより、図２０Ｂに示すように、第１のスライダ２４１の一対のストッパ２５２，２５２が一対のロック爪２３３，２３３に係合され、ディスク蓋体１３がロック状態に保持される。このディスク蓋体１３のロック状態を解除する操作は、上述した通りである。
【０１１３】
図２１は、本実施例に係るディスク式撮像装置１の使用状態の一例を示すものである。右手は撮影装置本体２の把持部５２を把持するように用いられ、左手は撮影装置本体２のレンズ装置５の近傍を把持するように用いられる。そのため、図１〜図３に示すように、レンズ側外装体１１のレンズ装置５と反対側の端部には、撮影装置本体２の把持部５２の一部を構成する第２の指掛け部５２ｂが設けられている。
【０１１４】
把持部５２の第２の指掛け部５２ｂには、右手の中指や薬指が当接される。この第２の指掛け部５２ｂに掛けられる右手の中指等と、第１の指掛け部５２ａに掛けられる右手の親指によって把持部５２が把持される。そして、右手の人差し指は、撮影装置本体２の上方に回され、録画ボタン５４とワイドボタン５５とテレボタン５６との３つの操作ボタンの操作に供される。このようにディスク式撮像装置１がユーザーに保持され、人差し指による３つの操作ボタンの操作を経て所望の被写体を、所望の構図、大きさ等によって撮影することができる。
【０１１５】
なお、図示しないが、蓋体側にイジェクトツマミ及びその連結するスライド部を設けると共に、そのスライド部に対応する本体側の側部に凹部状の切欠き部を設け、その切欠き部に上記スライド部が入るように構成してもよい。このように構成することにより、カンヌキ部が出っ張ってきたときには、スライドツマミに連動してロックを外すことができると共に、そのスライドツマミをスライドさせたまま蓋体を反対側に持ち上げて、蓋体を開放することができる。
【０１１６】
以上説明したように、本発明によれば、ディスクの第１の記録領域及び第２の記録領域に対する書き込み処理を確実に完了した後にディスクの取り出し動作が可能となるため、撮影中のバッテリー切れによって撮影が中断された場合にも、バッテリーを交換して再度電力が復帰したときに、自動的に記録を保存する処理が実行され、その保存処理の終了後に始めてディスク蓋体１３の開蓋操作が可能となる。そのため、せっかく撮影したデータが、バッテリー切れ等によって消滅してしまう不具合の発生を防ぐことができる。
【０１１７】
また、カンヌキ機構２１９における電気制御面での電力消費を抑制し、省電力化を図ることができる。即ち、カンヌキ機構２１９における電力の消費はモータ２７５のみであり、そのモータ２７５はカンヌキ爪２９６の出し入れにのみ用いられるため、電力の消費量を極めて少ないものにすることができる。更に、カンヌキ機構２１９のソフト制御により、カンヌキスライダ２７２の位置を検出する上下の位置検出センサ２９１，２９２による位置検出のタイミングと、そのカンヌキスライダ２７２をスライド動作させるモータ２７５の駆動時間との関係を適宜に設定することにより、カンヌキ部材２７３の送りストローク量と、カンヌキ爪２９６とカンヌキ穴２６２との係合深さ（かかり量）等を自在に調整することができる。
【０１１８】
更に、スライドツマミ２２とスライドロック機構２１８とを機能的に完全に独立させることができるため、これらスライドツマミ２２及びスライドロック機構２１８の配置の自由度を高めることができる。例えば、パッキンによる防滴構造を用いた蓋体であって、蓋体と本体との間に強力な密着が要求されるディスク記録装置において、プリ・オープンに際して多大な内部バネ力に打ち勝つ力が必要とされるような場合でも、スライドロック機構２１８及びカンヌキ機構２１９を本体側に配置し、スライドツマミ２２を蓋体側に配置することにより、本体側を持ってするプリ・オープンではなく、蓋体を持ちながら人の力でその蓋体を開かせる構造とすることができる。
【産業上の利用可能性】
【０１１９】
前記実施例においては、防水（防滴）型ディスク式撮像装置１に適用した例について説明したが、装置の全体が防水（防滴）型のディスク記録装置ではなくてもよく、一部に防水（防滴）が必要な部分にも本願発明は適用可能である。更に、本発明はディスク式撮像装置以外の撮像装置、例えば、電子スチルカメラ、ビデオカメラ、カメラ機能付きパーソナルコンピュータ、カメラ機能付き携帯電話機、カメラ機能付きＰＨＳその他各種の撮像装置に適用できることは勿論である。このように、本発明は、前述しかつ図面に示した実施の形態に限定されるものではなく、その要旨を逸脱しない範囲内で種々の変形実施が可能である。
【図面の簡単な説明】
【０１２０】
【図１】本発明のディスク記録装置の一実施例に係るディスク式撮像装置を示す正面図である。
【図２】図１に示すディスク式撮像装置の底面図である。
【図３】図１に示すディスク式撮像装置の平面図である。
【図４】図１に示すディスク式撮像装置の背面図である。
【図５】図１に示すディスク式撮像装置の左側面図である。
【図６】図１に示すディスク式撮像装置の右側面図である。
【図７】図１に示すディスク式撮像装置を斜め正面側から見た外観斜視図である。
【図８】図１に示すディスク式撮像装置を、バックルを開けて斜め正面側から見た斜視図である。
【図９】図１に示すディスク式撮像装置をディスク蓋体側から見た外観斜視図である。
【図１０】図１に示すディスク式撮像装置のディスク蓋体を開けて正面側から見た斜視図である。
【図１１】図１に示すディスク式撮像装置を、ディスク蓋体とバックルを開けて斜め正面側から見た斜視図である。
【図１２】図１に示すディスク式撮像装置の撮像装置本体に係るセンタ枠体をレンズ側外装体側から見た斜視図である。
【図１３】図１に示すディスク式撮像装置の撮像装置本体に係るセンタ枠体をディスク蓋体側から見た斜視図である。
【図１４】図１に示すディスク式撮像装置のディスクドライブ装置と蓋開閉機構を底面側から見た斜視図である。
【図１５】図１に示すディスク式撮像装置の蓋開閉機構に係るスライドロック機構を分解した斜視図である。
【図１６】図１に示すディスク式撮像装置の蓋開閉機構に係るカンヌキ機構を分解した斜視図である。
【図１７】図１に示すディスク式撮像装置の蓋開閉機構に係るカンヌキ機構の動作を説明するもので、カンヌキ機構によるカンヌキをスライドロック機構に掛ける前の説明図である。
【図１８】図１に示すディスク式撮像装置の蓋開閉機構に係るカンヌキ機構の動作を説明するもので、カンヌキ機構によるカンヌキをスライドロック機構に掛けたときの説明図である。
【図１９】図１に示すディスク式撮像装置の蓋開閉機構に係るカンヌキ機構の動作を説明するもので、カンヌキ機構によるカンヌキをスライドロック機構に掛けた後、スライドツマミを摺動させてカンヌキ部材を回動させた状態の説明図である。
【図２０】図１に示すディスク式撮像装置の蓋開閉機構に係るスライドロック機構の動作を説明するもので、同図Ａは一対のロック爪が一対のストッパに係合する前の状態、同図Ｂは一対のロック爪が一対のストッパに係合した状態、同図Ｃは一対のロック爪と一対のストッパとの係合が解除した状態、のそれぞれ説明図である。
【図２１】図１に示すディスク式撮像装置の使用状態の説明図である。
【図２２】図１に示すディスク式撮像装置の蓋開閉機構の動作制御の一例を表したフローチャートである。
【符号の説明】
【０１２１】
１…ディスク式撮像装置（ディスク記録装置）、  ２…撮像装置本体（本体）、  ３…ディスクドライブ装置、  ５…レンズ装置、  １０…センタ枠体、  １１…レンズ側外装体、  １２…バックル、  １３…ディスク蓋体（蓋体）、  ２１…イジェクト準備釦（第１の操作手段）、  ２２…スライドツマミ（第２の操作手段）、  ２４，２０１，２０２…シール部材、  ３５…メカデッキ、  ３６…テーブル回転装置、  ３７…光学ピックアップ装置（記録手段）、  ３８…ピックアップ移動装置、  ４７…ディスク装着部、  ２１５…蓋開閉機構、  ２１８…スライドロック機構（ロック手段）、  ２１９…カンヌキ機構（解除制御手段）、  ２３３…ロック爪、  ２４１…スライドベース、  ２４２，２４３…スライダ、  ２４４…回動リンク、  ２５２…ストッパ、  ２５５，２５６，２６１，２７６，２８４，２９４…長穴、  ２５７…ストッパ片、  ２５８…入力片、  ２６２…カンヌキ穴、  ２７１…カンヌキベース部材、  ２７２…カンヌキスライダ、  ２７３…カンヌキ部材、  ２７５…モータ、  ２７８…ギア、  ２８５…ラック、  ２８６，２８７…位置検出片、  ２９１，２９２…位置検出センサ、  ２９５…回動用穴、  ２９６…カンヌキ爪
【図１】
2006147056.tif 000003
【図２】
2006147056.tif 000004
【図３】
2006147056.tif 000005
【図４】
2006147056.tif 000006
【図５】
2006147056.tif 000007
【図６】
2006147056.tif 000008
【図７】
2006147056.tif 000009
【図８】
2006147056.tif 000010
【図９】
2006147056.tif 000011
【図１０】
2006147056.tif 000012
【図１１】
2006147056.tif 000013
【図１２】
2006147056.tif 000014
【図１３】
2006147056.tif 000015
【図１４】
2006147056.tif 000016
【図１５】
2006147056.tif 000017
【図１６】
2006147056.tif 000018
【図１７】
2006147056.tif 000019
【図１８】
2006147056.tif 000020
【図１９】
2006147056.tif 000021
【図２０】
2006147056.tif 000022
【図２１】
2006147056.tif 000023
【図２２】
2006147056.tif 000024